(57)【要約】【課題】キャリアアグリゲーションを使用するときのチャンネル選択方法等を提供する。【解決手段】ＬＴＥ進歩型又は他のキャリアアグリゲーションのためのチャンネルの選択は、方法、装置又はコンピュータ読み取り可能な媒体によって遂行される。ある実施形態によれば、この方法は、チャンネル選択及びコンステレーション選択が使用中であるか又は使用されることを決定する段階を含む。又、この方法は、４ビットまでのチャンネル選択に対する単一のマッピングテーブル設計が使用中であるか又は使用されることを決定する段階も含む。更に、この方法は、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択する段階も含む。【選択図】図１
2013539634.tif 000002
【特許請求の範囲】
【請求項１】
チャンネル選択及びコンステレーション選択が使用中であるか又は使用されることを決定する段階と、
４ビットまでのチャンネル選択に対する単一のマッピングテーブル設計が使用中であるか又は使用されることを決定する段階であって、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数であるような段階と、
前記チャンネル選択及びコンステレーション選択が使用中であるか又は使用されるとの決定、及び前記４ビットまでのチャンネル選択に対する単一のマッピングテーブル設計が使用中であるか又は使用されるとの決定に基づき、確認及び否定確認状態に対応するリソースエントリーから通信リソースを選択する段階と、
を備えた方法。
【請求項２】
キャリアアグリゲーションが使用中であるか又は使用されることを決定する段階を更に備え、前記通信リソースの選択は、更に、キャリアアグリゲーションが使用中であるか又は使用されるとの決定に基づく、請求項１に記載の方法。
【請求項３】
第１及び第２のコードワードに対する確認及び否定確認ビットの空間的バンドリングが使用中であるか又は使用されることを決定する段階を更に備え、前記通信リソースの選択は、更に、キャリアアグリゲーションが使用中であるか又は使用されるとの決定に基づく、請求項１又は２に記載の方法。
【請求項４】
複数のユーザ装置に対して一次コンポーネントキャリアのみのスケジューリングが使用されたかどうか決定する段階と、
ユーザ装置ごとに複数のユーザ装置に対するチャンネルを選択する段階と、
を備え、前記チャンネルの選択は、当該ユーザ装置が一次コンポーネントキャリアのみのスケジューリングを受け取ったかどうかに基づいてユーザ装置ごとに遂行される、請求項１から３のいずれかに記載の方法。
【請求項５】
当該ユーザ装置が一次コンポーネントキャリアのみのスケジューリングを受け取ったときには、一次コンポーネントキャリアにおいて否定確認と不連続送信との間を区別するための特殊なシグナリング状態をリザーブする段階を更に備えた、請求項４に記載の方法。
【請求項６】
当該ユーザ装置が一次コンポーネントキャリアのみのスケジューリングを受け取らなかったときには、少なくとも１つの二次コンポーネントキャリアがスケジュールされたかどうか決定する段階を更に備えた、請求項４又は５に記載の方法。
【請求項７】
当該ユーザ装置が一次コンポーネントキャリアから一次コンポーネントキャリアのみのスケジューリングを受け取らなかったときには、必要に応じてのみコンポーネントキャリアごとに第１及び第２コードワードに対して確認及び否定確認ビットの空間的バンドリングを行う段階を更に備えた、請求項４から６のいずれかに記載の方法。
【請求項８】
コンピュータプログラムコードを含む少なくとも１つのメモリと、
少なくとも１つのプロセッサと、
を備えた装置であって、前記少なくとも１つのメモリ及び前記コンピュータプログラムコードは、前記少なくとも１つのプロセッサと共に、前記装置が、少なくとも、
チャンネル選択及びコンステレーション選択が使用中であるか又は使用されることを決定し、
４ビットまでのチャンネル選択に対する単一マッピングテーブル設計が使用中であるか又は使用されることを決定し、ｎ＋１個の確認、否定確認及び／又は不連続送信ビットに対するマッピングテーブルは、ｎ個の確認、否定確認及び／又は不連続送信ビットに対するテーブルのエントリーを含み、但し、ｎは、１から３までの整数のビット数であり、更に、
前記チャンネル選択及びコンステレーション選択が使用中であるか又は使用されるとの決定、及び前記４ビットまでのチャンネル選択に対する単一マッピングテーブル設計が使用中であるか又は使用されるとの決定に基づき、確認及び否定確認状態に対応するリソースエントリーから通信リソースを選択する、
ようにさせるよう構成された、装置。
【請求項９】
前記少なくとも１つのメモリ及び前記コンピュータプログラムコードは、前記少なくとも１つのプロセッサと共に、前記装置が、少なくとも、キャリアアグリゲーションが使用中であるか又は使用されることを決定するようにさせるよう構成され、前記通信リソースの選択は、更に、キャリアアグリゲーションが使用中であるか又は使用されるとの決定に基づく、請求項８に記載の装置。
【請求項１０】
前記少なくとも１つのメモリ及び前記コンピュータプログラムコードは、前記少なくとも１つのプロセッサと共に、前記装置が、少なくとも、第１及び第２のコードワードに対する確認及び否定確認ビットの空間的バンドリングが使用中であるか又は使用されることを決定するようにさせるよう構成され、前記通信リソースの選択は、更に、キャリアアグリゲーションが使用中であるか又は使用されるとの決定に基づく、請求項８又は９に記載の装置。
【請求項１１】
前記少なくとも１つのメモリ及び前記コンピュータプログラムコードは、前記少なくとも１つのプロセッサと共に、前記装置が、少なくとも、
複数のユーザ装置に対して一次コンポーネントキャリアのみのスケジューリングが使用されたかどうか決定し、
ユーザ装置ごとに複数のユーザ装置に対するチャンネルを選択する、
ようにさせるよう構成され、前記チャンネルの選択は、当該ユーザ装置が一次コンポーネントキャリアのみのスケジューリングを受け取ったかどうかに基づいてユーザ装置ごとに遂行される、請求項８から１０のいずれかに記載の装置。
【請求項１２】
前記少なくとも１つのメモリ及び前記コンピュータプログラムコードは、前記少なくとも１つのプロセッサと共に、前記装置が、少なくとも、当該ユーザ装置が一次コンポーネントキャリアのみのスケジューリングを受け取ったときには、一次コンポーネントキャリアにおいて否定確認と不連続送信との間を区別するための特殊なシグナリング状態をリザーブするようにさせるよう構成される、請求項１１に記載の装置。
【請求項１３】
前記少なくとも１つのメモリ及び前記コンピュータプログラムコードは、前記少なくとも１つのプロセッサと共に、前記装置が、少なくとも、当該ユーザ装置が一次コンポーネントキャリアのみのスケジューリングを受け取らなかったときには、少なくとも１つの二次コンポーネントキャリアがスケジュールされたかどうか決定するようにさせるよう構成される、請求項１１又は１２に記載の装置。
【請求項１４】
前記少なくとも１つのメモリ及び前記コンピュータプログラムコードは、前記少なくとも１つのプロセッサと共に、前記装置が、少なくとも、当該ユーザ装置が一次コンポーネントキャリアから一次コンポーネントキャリアのみのスケジューリングを受け取らなかったときには、必要に応じてのみコンポーネントキャリアごとに第１及び第２コードワードに対して確認及び否定確認ビットの空間的バンドリングを行うようにさせるよう構成される、請求項１１から１３のいずれかに記載の装置。
【請求項１５】
ハードウェアで実行されるときに、
チャンネル選択及びコンステレーション選択が使用中であるか又は使用されることを決定し、
４ビットまでのチャンネル選択に対する単一のマッピングテーブル設計が使用中であるか又は使用されることを決定し、ｎ＋１個の確認、否定確認及び／又は不連続送信ビットに対するマッピングテーブルは、ｎ個の確認、否定確認及び／又は不連続送信ビットに対するテーブルのエントリーを含み、但し、ｎは、１から３までの整数のビット数であり、
前記チャンネル選択及びコンステレーション選択が使用中であるか又は使用されるとの決定、及び前記４ビットまでのチャンネル選択に対する単一マッピングテーブル設計が使用中であるか又は使用されるとの決定に基づいて、確認及び否定確認状態に対応するリソースエントリーから通信リソースを選択する、
ことを含むプロセスを遂行するインストラクションでエンコードされた非一時的コンピュータ読み取り可能な媒体。
【請求項１６】
前記プロセスは、更に、キャリアアグリゲーションが使用中であるか又は使用されることを決定することを含み、前記通信リソースの選択は、更に、キャリアアグリゲーションが使用中であるか又は使用されるとの決定に基づく、請求項１５に記載の非一時的コンピュータ読み取り可能な媒体。
【請求項１７】
前記プロセスは、更に、第１及び第２のコードワードに対する確認及び否定確認ビットの空間的バンドリングが使用中であるか又は使用されることを決定することを含み、前記通信リソースの選択は、更に、キャリアアグリゲーションが使用中であるか又は使用されるとの決定に基づく、請求項１５又は１６に記載の非一時的コンピュータ読み取り可能な媒体。
【請求項１８】
前記プロセスは、更に、
複数のユーザ装置に対して一次コンポーネントキャリアのみのスケジューリングが使用されたかどうか決定し、
ユーザ装置ごとに複数のユーザ装置に対するチャンネルを選択する、
ことを含み、前記チャンネルの選択は、当該ユーザ装置が一次コンポーネントキャリアのみのスケジューリングを受け取ったかどうかに基づいてユーザ装置ごとに遂行される、請求項１５から１７のいずれかに記載の非一時的コンピュータ読み取り可能な媒体。
【請求項１９】
前記プロセスは、更に、当該ユーザ装置が一次コンポーネントキャリアのみのスケジューリングを受け取ったときには、一次コンポーネントキャリアにおいて否定確認と不連続送信との間を区別するための特殊なシグナリング状態をリザーブすることを含む、請求項１８に記載の非一時的コンピュータ読み取り可能な媒体。
【請求項２０】
前記プロセスは、更に、当該ユーザ装置が一次コンポーネントキャリアのみのスケジューリングを受け取らなかったときには、少なくとも１つの二次コンポーネントキャリアがスケジュールされたかどうか決定することを含む、請求項１８又は１９に記載の非一時的コンピュータ読み取り可能な媒体。
【請求項２１】
前記プロセスは、更に、当該ユーザ装置が一次コンポーネントキャリアから一次コンポーネントキャリアのみのスケジューリングを受け取らなかったときには、必要に応じてのみコンポーネントキャリアごとに第１及び第２コードワードに対して確認及び否定確認ビットの空間的バンドリングを行うことを含む、請求項１８から２０に記載の非一時的コンピュータ読み取り可能な媒体。
【請求項２２】
チャンネル選択及びコンステレーション選択が使用中であるか又は使用されることを決定するための決定手段と、
４ビットまでのチャンネル選択に対する単一のマッピングテーブル設計が使用中であるか又は使用されることを決定するための決定手段と、
を備え、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数であり、更に、
前記チャンネル選択及びコンステレーション選択が使用中であるか又は使用されるとの決定、及び前記４ビットまでのチャンネル選択に対する単一のマッピングテーブル設計が使用中であるか又は使用されるとの決定に基づき、確認及び否定確認状態に対応するリソースエントリーから通信リソースを選択するための選択手段と、
を備えた装置。
【請求項２３】
キャリアアグリゲーションが使用中であるか又は使用されることを決定するための決定手段を更に備え、前記通信リソースの選択は、更に、キャリアアグリゲーションが使用中であるか又は使用されるとの決定に基づく、請求項２２に記載の装置。
【請求項２４】
第１及び第２のコードワードに対する確認及び否定確認ビットの空間的バンドリングが使用中であるか又は使用されることを決定するための決定手段を更に備え、前記通信リソースの選択は、更に、キャリアアグリゲーションが使用中であるか又は使用されるとの決定に基づく、請求項２２又は２３に記載の装置。
【請求項２５】
複数のユーザ装置に対して一次コンポーネントキャリアのみのスケジューリングが使用されたかどうか決定するための決定手段と、
ユーザ装置ごとに複数のユーザ装置に対するチャンネルを選択するための選択手段と、
を備え、前記チャンネルの選択は、当該ユーザ装置が一次コンポーネントキャリアのみのスケジューリングを受け取ったかどうかに基づいてユーザ装置ごとに遂行される、請求項２２から２４のいずれかに記載の装置。
【請求項２６】
当該ユーザ装置が一次コンポーネントキャリアのみのスケジューリングを受け取ったときには、一次コンポーネントキャリアにおいて否定確認と不連続送信との間を区別するための特殊なシグナリング状態をリザーブするためのリザーブ手段を更に備えた、請求項２５に記載の装置。
【請求項２７】
当該ユーザ装置が一次コンポーネントキャリアのみのスケジューリングを受け取らなかったときには、少なくとも１つの二次コンポーネントキャリアがスケジュールされたかどうか決定するための決定手段を更に備えた、請求項２５又は２６に記載の装置。
【請求項２８】
当該ユーザ装置が一次コンポーネントキャリアから一次コンポーネントキャリアのみのスケジューリングを受け取らなかったときには、必要に応じてのみコンポーネントキャリアごとに第１及び第２コードワードに対して確認及び否定確認ビットの空間的バンドリングを行うためのバンドリング手段を更に備えた、請求項２５から２７のいずれかに記載の装置。
【発明の詳細な説明】
【技術分野】
【０００１】
肯定確認（ＡＣＫ）及び否定確認（ＮＡＣＫ）を含む確認は、物理的なアップリンクコントロールチャンネル（ＰＵＣＣＨ）を経て送信することができる。そのような確認は、キャリアアグリゲーションの場合に物理的ダウンリンク共有チャンネル（ＰＤＳＣＨ）を経て送信される１つ以上のコードワードに関連している。本発明の幾つかの実施形態は、キャリアアグリゲーションを使用するときのチャンネル選択に関する。
【背景技術】
【０００２】
長期進化（ＬＴＥ）リリース８（Ｒｅｌ−８）時分割デュープレックス（ＴＤＤ）においては、非対称的なダウンリンク（ＤＬ）／アップリンク（ＵＬ）構成の場合に、ユーザ装置（ＵＥ）は、１つのアップリンクサブフレーム中に複数のダウンリンクサブフレームに関連したＡＣＫ／ＮＡＣＫをレポートする能力を有する。複数のダウンリンクサブフレームのＡＣＫ／ＮＡＣＫシグナリングは、ＡＣＫ／ＮＡＣＫバンドリング又はＡＣＫ／ＮＡＣＫマルチプレクシングモードのいずれかを使用して形成される。
【０００３】
ＡＣＫ／ＮＡＣＫバンドリングモードでは、ＡＣＫ／ＮＡＣＫビットを先ず時間ドメインにおいてバンドリングして、マルチコードワード（ＭＣＷ）ダウンリンク送信で１ビット又は２ビットを得ることができる。次いで、最後に検出されたダウンリンクグラントに対応する物理的アップリンクコントロールチャンネルを経て、ＡＣＫ／ＮＡＣＫビットを変調し送信することができる。
【０００４】
ＡＣＫ／ＮＡＣＫマルチプレクシングモードでは、チャンネル選択を使用することができる。チャンネル選択は、単一の物理的アップリンクコントロールチャンネルを経て２−４ビットの送信を行えるようにする。選択されるチャンネル及び使用されるＱＰＳＫコンステレーションポイントは、３ＧＰＰ  ＴＳ  ３６．２１３  ｖ８５０のテーブル１０．１−２、１０．１−３及び１０．１−４に示されたように、複数のダウンリンクサブフレームに対してＡＣＫ／ＮＡＣＫ／ＤＴＸ状態に基づいて決定することができる。
【発明の概要】
【０００５】
ある実施形態によれば、方法は、チャンネル選択及びコンステレーション選択が使用中であるか又は使用されることを決定する段階を含む。又、この方法は、４ビットまでのチャンネル選択に対する単一のマッピングテーブル設計が使用中であるか又は使用されることを決定する段階も含み、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数である。この方法は、更に、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択する段階も含む。
【０００６】
更に別の実施形態によれば、装置は、コンピュータプログラムコードを含む少なくとも１つのメモリ、及び少なくとも１つのプロセッサを備えている。少なくとも１つのメモリ及びコンピュータプログラムコードは、少なくとも１つのプロセッサと共に、装置が、少なくとも、チャンネル選択及びコンステレーション選択が使用中であるか又は使用されることを決定するようにさせるよう構成される。又、少なくとも１つのメモリ及びコンピュータプログラムコードは、少なくとも１つのプロセッサと共に、装置が、少なくとも、４ビットまでのチャンネル選択に対する単一のマッピングテーブル設計が使用中であるか又は使用されることを決定するようにさせるよう構成され、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数である。少なくとも１つのメモリ及びコンピュータプログラムコードは、少なくとも１つのプロセッサと共に、装置が、少なくとも、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択するようにさせるよう構成される。
【０００７】
ある実施形態によれば、装置は、チャンネル選択及びコンステレーション選択が使用中であるか又は使用されることを決定するための決定手段を備えている。又、この装置は、４ビットまでのチャンネル選択に対する単一のマッピングテーブル設計が使用中であるか又は使用されることを決定するための決定手段も備え、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数である。更に、この装置は、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択するための選択手段も備えている。
【０００８】
幾つかの実施形態によるコンピュータ読み取り可能な媒体（記憶媒体又は非一時的媒体のような）は、ハードウェアで実行されたときにプロセスを遂行するインストラクションでエンコードされる。このプロセスは、チャンネル選択及びコンステレーション選択が使用中であるか又は使用されることを決定することを含む。又、このプロセスは、４ビットまでのチャンネル選択に対する単一のマッピングテーブル設計が使用中であるか又は使用されることを決定することも含み、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数である。このプロセスは、更に、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択することも含む。
【０００９】
本発明を適切に理解するために、添付図面を参照して本発明を詳細に説明する。
【図面の簡単な説明】
【００１０】
【図１】本発明の実施形態による方法を示す。
【図２】本発明の実施形態による装置を示す。
【図３】本発明の実施形態による方法を示す。
【発明を実施するための形態】
【００１１】
本発明の幾つかの実施形態は、例えば、ＬＴＥ進歩型(LTE-Advanced)チャンネル選択に適用できる詳細なチャンネル選択可能性を提供する。少なくとも、暗示的リソース割り当ての場合の解決策、及びハイブリッドリソース割り当ての場合の解決策を使用することができる。ハイブリッドリソース割り当ての場合の解決策は、チャンネル選択及び改善型チャンネル選択を単一のマッピングテーブルにおいて合成することができる。明示的リソース割り当ても両解決策でサポートできることに注意されたい。
【００１２】
ＬＴＥ進歩型キャリアアグリゲーションのようなキャリアアグリゲーションにおいてチャンネル選択をアレンジすることは、種々の仕方で遂行することができる。ＴＤＤチャンネル選択を単純に適用することは、１つの選択肢である。この解決策では、ＴＤＤサブフレームがコンポーネントキャリアとしてカウントされるように、Ｒｅｌ−８  ＴＤＤ解決策が適用される。しかしながら、Ｒｅｌ−８  ＴＤＤベースの既存のチャンネル選択設計は、あらゆるケースにおいてＡＣＫとＮＡＣＫとの間に完全な分離を与えることができない。そのようなケースにおけるＡＣＫとＮＡＣＫとの間に完全な分離をあたえる問題は、チャンネル選択テーブルにより対処することができる。しかしながら、チャンネル選択テーブルは、一次コンポーネントキャリア（ＰＣＣ）のみのスケジューリングの場合には、最適なものではない。一次コンポーネントキャリアのみのスケジューリングとは、一次コンポーネントキャリアのみがスケジュールされた状態を指す。
【００１３】
Ｒｅｌ−８  ＴＤＤベースの解決策は、２ビット、３ビット及び４ビットのケースについて個別のマッピングテーブルを有する。特に、物理的アップリンクコントロールチャンネル選択の場合には、コンポーネントキャリア（再）構成にタイミングの不確実性を伴うことに注意されたい。このタイミングの不確実性を回避するために、構成されるダウンリンクコンポーネントキャリア（ＣＣ）の数に関わらず、同じマルチプレクシングマッピングテーブルを適用することができる。
【００１４】
以下のテーブル１は、Ｒｅｌ−８／９  ＴＤＤによるチャンネル選択を示す。
【表１】
2013539634.tif 000003
【００１５】
本発明の幾つかの実施形態は、ＴＤＤチャンネル選択の単純な適用とは異なる。例えば、対処される２つの異なるＡＣＫ／ＮＡＣＫシグナリングシナリオと、２つの異なるシナリオに対する２つの異なる解決策とがある。
【００１６】
典型的なキャリアアグリゲーションシナリオである第１のシナリオでは、一次コンポーネントキャリア及び二次コンポーネントキャリア（ＳＣＣ）の両方からダウンリンクスケジューリングを行うことができる。特殊なケースである第２のシナリオでは、一次コンポーネントキャリアのみからキャリアインジケータフィールド（ＣＩＦ）支援クロスコンポーネントキャリアスケジューリングを行うことができる。これらシナリオの各々に個別のチャンネル選択解決策を適用して、両ケースをカバーする全体的解決策を最適化することができる。
【００１７】
最適化された全体的解決策において、適用される解決策は、ユーザ装置特有の仕方で構成することができる。従って、２つの状態に対する両解決策を、組み合わせとして、及び／又は個別のチャンネル選択解決策として使用することができる。
【表２】
2013539634.tif 000004
【００１８】
特殊なケースについての解決策の一実施形態が前記テーブル２に示されている。これは、リソース内のデータコンステレーションを回転できるので（例えば、ｈ１）、一例に過ぎない。この実施形態は、一次コンポーネントキャリアのみからキャリアインジケータフィールド支援クロスコンポーネントキャリアスケジューリングを行う特殊なケースに対する解決策の一例に過ぎない。この例における解決策は、次のことを特徴とする。異なる空間的コードワードに対応するＡＣＫ／ＮＡＣＫのためのコンポーネントキャリアごとにバンドリング(bundling)が適用される。従って、例えば、コンポーネントキャリアに２つの空間的コードワードがある場合には、論理的ＡＮＤ演算を行って、バンドルされたＡＣＫ／ＮＡＣＫの値を得る。
【００１９】
更に、この例において、単一の設計を１−４ビットに適用することができる。選択されるチャンネル（ｈ＃）は、コンポーネントキャリアの中でＡＣＫ（‘Ａ’）状態で選択される。ＡＣＫがコンポーネントキャリア＃２及び＃３に対してシグナリングされる場合には、物理的アップリンクコントロールチャンネルをｈ２及びｈ３の間で選択することができる。テーブル２の例において、ｈ３が選択されて示されている。コンポーネントキャリア＃２及び＃３に対してシグナリングされるＡＣＫは、一例に過ぎない。
【００２０】
更に、この例では、特殊なシグナリング状態がＮＡＣＫ又はＤＴＸ、例えば、［Ｎ、Ｎ／Ｄ、Ｎ／Ｄ、・・・］に対してリザーブされ、一次コンポーネントキャリアにおいてＮＡＣＫとＤＴＸとの間を区別する上で助けとなる。これは、いずれの二次コンポーネントキャリアにもスケジューリングがないときに、一次コンポーネントキャリアにおいてＮＡＣＫ及びＤＴＸに対して個別のシグナリング状態がリザーブされることを単に意味する。例えば、以下のテーブル３において、ＰＣＣのみの区分の第１行は、一次コンポーネントキャリアにおける不連続送信（ＤＴＸ）に対応し、一方、第２行は、一次コンポーネントキャリアにおけるＮＡＣＫを指示する。しかしながら、ある二次コンポーネントキャリアもスケジュールされるときには（一次コンポーネントキャリアに加えて）、テーブルに示したように、ＤＴＸとＮＡＣＫとの間に区別がない（ＤＴＸ及びＮＡＣＫは、同じリソースを共有する）。進化型ノードＢ（ｅＮＢ）が、一次コンポーネントキャリアのみに対して物理的ダウンリンク共有チャンネルスケジューリングを行うときには、考慮すべきシグナリング状態は３つだけである（１）ＤＴＸ、（２）［Ｎ、Ｄ、Ｄ、Ｄ］、及び（３）［Ａ、Ｄ、Ｄ、Ｄ］。ここに提案するコンステレーションポイントを考慮すると、ｅＮＢの場合に、このリザーブは、一次コンポーネントキャリアのみのスケジューリングのケースにおいてＲｅｌ−８と同様の動作を与えることができる。
【表３】
2013539634.tif 000005
【００２１】
典型的なキャリアアグリゲーションシナリオに対する解決策の一実施形態が前記テーブル３に示されている。先の規範的実施形態と同様に、この実施形態も、単に一例を示す。リソース内のデータコンステレーション（例えば、ｈ１）を回転することができる。更に、明示的に構成されたマルチＡ／Ｎリソース内のコンステレーション及びチャンネル選択エントリー（ｈ１、ｈ２・・・）の変更に伴う問題はない。このチャンネル選択テーブルは、ハイブリッドリソース割り当てに対して最適化されているが、常に、このチャンネル選択テーブルを明示的リソース割り当てで使用することができる。
【００２２】
典型的なキャリアアグリゲーションシナリオに対する解決策のこの例は、次のように特徴付けられる。一次コンポーネントキャリアのみのスケジューリングのケースに、Ｒｅｌ−８による物理的アップリンクコントロールチャンネルフォーマット１ａ／１ｂリソースが適用される。ユーザ装置が少なくとも１つの二次コンポーネントキャリアに対応するスケジューリンググラントを受信するケースでは、予め構成された物理的アップリンクコントロールチャンネルフォーマット１ｂリソースの間でチャンネル及びコンステレーションポイント選択が行われる。コンポーネントキャリア当たりの空間的バンドリングが必要に応じて適用されるだけである。更に、上位レイヤ構成又は他の事前定義に基づいて空間的バンドリングが適用される。この規範的解決策は、チャンネル選択及び改善型チャンネル選択を単一のテーブルにおいて合成する。より詳細には、この規範的解決策は、２つまでの二次コンポーネントキャリア（又は３ビット）があるときには普通のチャンネル選択を使用し、そして３つの二次コンポーネントキャリア（又は４ビット）があるときには改善型チャンネル選択を使用する。
【００２３】
２つの解決策の共通の特徴は、それらが、１−４ビットに適用できる単一設計に基づくことである。しかしながら、最適化基準は、２つのシナリオ間で異なる。テーブル２に示す解決策は、一次コンポーネントキャリアからのキャリアインジケータフィールドベースのクロスコンポーネントキャリアスケジューリングに対して最適化されている。又、その解決策は、他の暗示的リソース割り当てスキームと共に適用することもできる。更に、その解決策は、明示的リソース割り当てと共に適用することもできる。従って、この解決策は、暗示的リソース割り当てに完全に適合する。リソース割り当てグラントには３ビットキャリアインジケータフィールドが含まれる。
【００２４】
他方、テーブル３に示す解決策は、一次コンポーネントキャリア及び二次コンポーネントキャリアの両方からのスケジューリングで典型的なキャリアアグリゲーション（ＣＡ）シナリオに対して最適化されている。この解決策は、ハイブリッド及び明示的の両リソース割り当てをサポートし、従って、物理的アップリンクコントロールチャンネルのオーバーヘッドを最小にすることができる。Ｒｅｌ−８／９の暗示的リソース割り当てスキームは、一次コンポーネントキャリアに対応する物理的アップリンクコントロールチャンネルフォーマット１ａ／１ｂリソースに対して適用され、そして一次コンポーネントキャリアを経てスケジューリングされる。もし必要であれば、他の物理的アップリンクコントロールチャンネルフォーマット１ｂリソースを、上位レイヤシグナリングを経て明示的にリザーブすることができる。
【００２５】
又、この規範的解決策は、一次コンポーネントキャリアのみのスケジューリングのケースにおいてＲｅｌ−８／９タイプのシグナリングをサポートする。明示的ＲＡでは、物理的アップリンクコントロールチャンネルのオーバーヘッド増加を経験する。というのは、マルチＡ／Ｎリソースがキャリアアグリゲーションについで構成されたＵＥに対して半スタティックにリザーブされるからである。リソースリザーブの問題は、Ａ／Ｎシグナリングが１つ以上のＳＣＣに関連する（ＰＣＣのみのスケジューリングがＰＵＣＣＨにおいてＲｅｌ−８  Ａ／Ｎリソースを使用する）ケースでのみマルチＡ／Ｎリソースが使用される場合には著しく緩和される。これは、ＰＵＣＣＨにおいて複数のＵＥ間に同じマルチＡ／Ｎリソースを共有するのを許す。
【００２６】
更に、この解決策は、一次コンポーネントキャリアのみのスケジューリングのケースに２ビットのＡＣＫ／ＮＡＣＫフィードバックをサポートする。更に、この解決策は、この例では、空間的バンドリングを伴ったり伴わなかったりする種々のキャリアアグリゲーションの組み合わせに対して内蔵サポートを有する（コンポーネントキャリア当たり２＋１、２＋１＋１、２＋２、１＋１＋１＋１ＡＣＫ／ＮＡＣＫビット）。２＋１＋１という表現は、２ビットＡＣＫ／ＮＡＣＫをもつ１つのコンポーネントキャリアと、１ビットのＡＣＫ／ＮＡＣＫをもつ２つのコンポーネントキャリアとの、３コンポーネントキャリアのケースに対応する。
【００２７】
テーブル３に一例が示された解決策は、３つのリソースを使用してマルチＡＣＫ／ＮＡＣＫリソースにおける３６状態への拡張を行えるようにする。更に、この解決策を使用して改善型ＤＴＸ対ＮＡＣＫ分離を行うことができるが、そのような改善型分離は、個別のマッピングテーブルを要求することがある。
【００２８】
以上のことから、幾つかの実施形態では、物理的アップリンクコントロールチャンネルにおけるマルチＡＣＫ／ＮＡＣＫリソースは、ＡＣＫ／ＮＡＣＫシグナリングが１つ以上の二次コンポーネントキャリアに関連するケースにのみ使用される。同様の幾つかの実施形態では、構成されるダウンリンクコンポーネントキャリアの数に関わらず、単一のＡＣＫ／ＮＡＣＫマルチプレクシングマッピングテーブルが適用される。
【００２９】
本発明の幾つかの実施形態の効果は、Ｒｅｌ−８動作に更に追加される複雑さが僅かであり、組み合わされる解決策が両キャリアアグリゲーションシナリオをサポートし、そして物理的アップリンクコントロールチャンネルのオーバーヘッドを全てのシナリオにおいて最小にできることを含む。
【００３０】
図１は、本発明の実施形態による方法を示す。この方法は、図示されたように、複数のユーザ装置に対して一次コンポーネントキャリアのみのスケジューリングが使用されたかどうか決定する（１１０）ことを含む。ｅＮＢが、ユーザ装置に対し一次コンポーネントキャリア及び二次コンポーネントキャリアのスケジューリングを行うが、二次コンポーネントキャリアに対応するリソース割り当てグラントがフェイルする場合には、ユーザ装置は、このスケジューリングを一次コンポーネントキャリアのみのスケジューリングと考える。従って、１つの決定がｅＮＢにおいて行われ、そしてもう１つの決定がＵＥにおいて行われる。更に、ｅＮＢは、スケジューリングの判断を行う（即ち、一次コンポーネントキャリア及び／又は１つ以上の二次コンポーネントキャリアにおいて物理的ダウンリンク共有チャンネルをスケジュールすべきかどうか）。このスケジューリング判断は、物理的ダウンリンクコントロールチャンネルを経てユーザ装置へシグナリングされるが、シグナリングはエラーを受けることがある。従って、ユーザ装置は、ここに提案するチャンネル選択テーブルにより、その受け取られた物理的ダウンリンク共有チャンネルに対応するＡＣＫ／ＮＡＣＫ／ＤＴＸをフィードバックすることができる。
【００３１】
又、この方法は、ユーザ装置ごとに複数のユーザ装置に対してチャンネルを選択する（１２０）ことを含む。チャンネルの選択は、当該ユーザ装置が一次コンポーネントキャリアのみのスケジューリングを受け取ったかどうかに基づきユーザ装置ごとに遂行される。
【００３２】
この方法は、更に、少なくとも１つの予め決定されたマッピングテーブルに基づいて少なくとも１つのチャンネル及びコンステレーションポイントを選択することで１ないし４ビットを通信する（１３０）ことも含む。この方法のこの観点は、当該ユーザ装置が一次コンポーネントキャリアのみのスケジューリングを受け取ったかどうかに関わらず遂行することができる。
【００３３】
この方法は、更に、チャンネル選択及び改善型チャンネル選択を単一のマッピングテーブルにおいて結合する（１３５）ことも含む。
【００３４】
当該ユーザ装置が一次コンポーネントキャリアのみのスケジューリングを受け取ったとき、この方法は、異なる空間的コードワードに対応する確認（広い意味では確認のタイプとしてＡＣＫ及びＮＡＣＫの両方を含む）に対してコンポーネントキャリアごとにバンドリングを適用する（１４０）ことを含む。
【００３５】
当該ユーザ装置が一次コンポーネントキャリアから一次コンポーネントキャリアのみのスケジューリングを受け取ったとき、この方法は、異なる空間的コードワードに対応する確認（広い意味では確認のタイプとしてＡＣＫ及びＮＡＣＫの両方を含む）に対してコンポーネントキャリアごとにバンドリングをスイッチオフする（１４５）ことを含む。
【００３６】
当該ユーザ装置が一次コンポーネントキャリアのみのスケジューリングを受け取ったとき、この方法は、肯定確認状態をもつコンポーネントキャリアの中から当該ユーザ装置のためのチャンネルを選択する（１５０）ことを含む。
【００３７】
当該ユーザ装置が一次コンポーネントキャリアのみのスケジューリングを受け取ったとき、この方法は、一次コンポーネントキャリアにおいて否定確認と肯定確認との間を区別するための特殊なシグナリング状態をリザーブする（１６０）ことを含む。
【００３８】
当該ユーザ装置が一次コンポーネントキャリアのみのスケジューリングを受け取らないときには、この方法は、少なくとも１つの二次コンポーネントキャリアがスケジュールされたかどうか決定する（１７０）ことを含む。
【００３９】
当該ユーザ装置が少なくとも１つの二次コンポーネントキャリアにおいて又はそこからスケジュールされたときには、この方法は、予め構成された物理的アップリンクコントロールチャンネルフォーマット１ｂリソースに中でチャンネル及びコンステレーションポイントを選択する（１８０）ことを含む。二次コンポーネントキャリアからの一次コンポーネントキャリアのみのスケジューリングは、テーブル３を参照して上述したように、同じ機能を生成できることに注意されたい。
【００４０】
当該ユーザ装置が一次コンポーネントキャリアから一次コンポーネントキャリアのみのスケジューリングを受け取らないときには、この方法は、必要に応じてのみコンポーネントキャリアごとに空間的バンドリングを行う（１９０）ことを含む。
【００４１】
図１に示す方法は、種々の仕方で実施することができる。例えば、図１の方法は、完全にハードウェアで実施されてもよい。或いは又、記憶媒体又は非一時的媒体のようなコンピュータ読み取り可能な媒体を、ハードウェアで実行されたときに図１の方法又はここに示す方法のある部分を遂行するインストラクションでエンコードすることもできる。又、図１に示されない他のステップも、インストラクションの実行により遂行されてもよい。図１の方法は、ユーザ装置により遂行されてもよいし、又は他のネットワーク要素により遂行されてもよい。
【００４２】
図２は、本発明の実施形態による装置を示す。図２の装置２００は、コンピュータプログラムコード２２０を含む少なくとも１つのメモリ２１０を備えている。装置２００は、例えば、移動電話、パーソナルデジタルアシスタント、又はパーソナルコンピュータのようなユーザ装置である。装置は、この特定のネットワーク要素である必要はなく、通信システムの他のネットワーク要素が、同じ機能又は機能の分散部分を遂行してもよい。メモリ２１０は、ランダムアクセスメモリ（ＲＡＭ）、リードオンリメモリ（ＲＯＭ）、ハードディスクドライブ、又は電子的にプログラム可能なＲＯＭ（ＥＰＲＯＭ）のような記憶装置でもよい。コンピュータプログラムコード２２０は、コンピュータプログラムインストラクションの適当なセットである。例えば、コンピュータインストラクションは、コンパイルフォーマットでもよいし又は解釈フォーマットでもよい。
【００４３】
又、装置２００は、少なくとも１つのプロセッサ２３０も備えている。このプロセッサ２３０は、コントローラ、中央処理ユニット（ＣＰＵ）又は特定用途向け集積回路（ＡＳＩＣ）のような適当な処理装置である。プロセッサ２３０は、一実施形態ではラックマウントコンピュータシステムのブレードである。
【００４４】
少なくとも１つのメモリ２１０及びコンピュータプログラムコード２２０は、少なくとも１つのプロセッサ２３０と共に、装置２００が、少なくとも、複数のユーザ装置に対して、一次コンポーネントキャリアのみのスケジューリングが使用されたかどうか決定し、そしてユーザ装置ごとに複数のユーザ装置に対してチャンネルを選択するようにさせるよう構成される。チャンネルの選択は、当該ユーザ装置が一次コンポーネントキャリアのみのスケジューリングを受け取ったかどうかに基づいてユーザ装置ごとに遂行される。
【００４５】
少なくとも１つのメモリ２１０及びコンピュータプログラムコード２２０は、少なくとも１つのプロセッサ２３０と共に、装置２００が、少なくとも、少なくとも１つの所定のマッピングテーブルに基づき少なくとも１つのチャンネル及びコンステレーションポイントを選択することにより１ないし４つのビットを通信するようにさせるよう構成される。
【００４６】
少なくとも１つのメモリ２１０及びコンピュータプログラムコード２２０は、少なくとも１つのプロセッサ２３０と共に、装置２００が、少なくとも、チャンネル選択及び改善型チャンネル選択を単一のマッピングテーブルにおいて結合させるよう構成される。
【００４７】
当該ユーザ装置が一次コンポーネントキャリアのみのスケジューリングを受け取ったときに、少なくとも１つのメモリ２１０及びコンピュータプログラムコード２２０は、少なくとも１つのプロセッサ２３０と共に、装置２００が、少なくとも、異なる空間的コードワードに対応する確認（広い意味では確認のタイプとしてＡＣＫ及びＮＡＣＫの両方を含む）に対してコンポーネントキャリアごとにバンドリングを適用するようにさせるよう構成される。
【００４８】
当該ユーザ装置が一次コンポーネントキャリアのみのスケジューリングを受け取ったときに、少なくとも１つのメモリ２１０及びコンピュータプログラムコード２２０は、少なくとも１つのプロセッサ２３０と共に、装置２００が、少なくとも、異なる空間的コードワードに対応する確認（広い意味では確認のタイプとしてＡＣＫ及びＮＡＣＫの両方を含む）に対してコンポーネントキャリアごとにバンドリングをスイッチオフするようにさせるよう構成される。
【００４９】
当該ユーザ装置が一次コンポーネントキャリアのみのスケジューリングを受け取ったときに、少なくとも１つのメモリ２１０及びコンピュータプログラムコード２２０は、少なくとも１つのプロセッサ２３０と共に、装置２００が、少なくとも、肯定確認状態を有するコンポーネントキャリアの中から当該ユーザ装置のチャンネルを選択するようにさせるよう構成される。
【００５０】
当該ユーザ装置が一次コンポーネントキャリアのみのスケジューリングを受け取ったときに、少なくとも１つのメモリ２１０及びコンピュータプログラムコード２２０は、少なくとも１つのプロセッサ２３０と共に、装置２００が、少なくとも、一次コンポーネントキャリアにおいて否定確認と肯定確認との間を区別するための特殊なシグナリング状態をリザーブするようにさせるよう構成される。
【００５１】
当該ユーザ装置が一次コンポーネントキャリアのみのスケジューリングを受け取らなかったときには、少なくとも１つのメモリ２１０及びコンピュータプログラムコード２２０は、少なくとも１つのプロセッサ２３０と共に、装置２００が、少なくとも、少なくとも１つの二次コンポーネントキャリアがスケジュールされたかどうか決定するようにさせるよう構成される。
【００５２】
当該ユーザ装置が少なくとも１つの二次コンポーネントキャリアにおいて又はそこからスケジュールされたとき、少なくとも１つのメモリ２１０及びコンピュータプログラムコード２２０は、少なくとも１つのプロセッサ２３０と共に、装置２００が、少なくとも、予め構成された物理的アップリンクコントロールチャンネルフォーマット１ｂリソースの中からチャンネル及びコンステレーションポイントを選択するようにさせるよう構成される。
【００５３】
当該ユーザ装置が一次コンポーネントキャリアから一次コンポーネントキャリアのみのスケジューリングを受け取らなかったときには、少なくとも１つのメモリ２１０及びコンピュータプログラムコード２２０は、少なくとも１つのプロセッサ２３０と共に、装置２００が、少なくとも、必要に応じてのみコンポーネントキャリアごとに空間的バンドリングを行うようにさせるよう構成される。
【００５４】
又、装置２００は、トランシーバ２４０及びアンテナ２５０のような他の特徴部も備えている。アンテナ２５０は、ワイヤレスリンク２６０を経てベースステーション３００と通信するように構成される。
【００５５】
ベースステーション、改善型ノードＢ（ｅＮＢ）、又は他のアクセスポイントのようなベースステーション３００は、装置２００と同様の構造を有する。更に、ベースステーション３００は、コアネットワーク（図示せず）と通信するように構成されてもよい。
【００５６】
図３は、本発明の実施形態による方法を示す。図３に示すように、この方法は、３１０において、チャンネル選択及びコンステレーション選択が使用中であるか又は使用されることを決定することを含む。又、この方法は、３２０において、４ビットまでのチャンネル選択に対する単一のマッピングテーブル設計が使用中であるか又は使用されることを決定することも含み、ｎ＋１個の確認、否定確認及び／又は不連続送信ビットに対するマッピングテーブルは、ｎ個の確認、否定確認及び／又は不連続送信ビットに対するテーブルのエントリーを含み、ここで、ｎは、１から３までの整数のビット数である。この方法は、更に、３３０において、チャンネル選択及びコンステレーション選択が使用中であるか又は使用されるとの決定、及び４ビットまでのチャンネル選択に対する単一マッピングテーブル設計が使用中であるか又は使用されるとの決定に基づいて、確認及び否定確認状態に対応するリソースエントリーから通信リソースを選択することも含む。
【００５７】
この方法は、更に、３４０において、キャリアアグリゲーションが使用中であるか又は使用されることを決定することも含む。通信リソースの選択は、更に、キャリアアグリゲーションが使用中であるか又は使用されるとの決定に基づく。
【００５８】
この方法は、更に、３５０において、第１及び第２コードワードに対する確認及び否定確認ビットの空間的バンドリングが使用中であるか又は使用されることを決定することも含む。通信リソースの選択は、更に、キャリアアグリゲーションが使用中であるか又は使用されるとの決定に基づく。
【００５９】
この方法は、更に、３６０において、複数のユーザ装置に対して、一次コンポーネントキャリアのみのスケジューリングが使用されたかどうか決定し、そして３６５において、ユーザ装置ごとに複数のユーザ装置に対してチャンネルを選択することを含む。チャンネルの選択は、当該ユーザ装置が一次コンポーネントキャリアのみのスケジューリングを受け取ったかどうかに基づいてユーザ装置ごとに遂行される。
【００６０】
当該ユーザ装置が一次コンポーネントキャリアのみのスケジューリングを受け取ったときには、この方法は、３７０において、一次コンポーネントキャリア上で否定確認と不連続送信との間を区別するための特殊なシグナリング状態をリザーブすることを含む。
【００６１】
当該ユーザ装置が一次コンポーネントキャリアのみのスケジューリングを受け取らなかったときには、この方法は、３８０において、少なくとも１つの二次コンポーネントキャリアがスケジューリングされたかどうか決定することを含む。
【００６２】
当該ユーザ装置が一次コンポーネントキャリアから一次コンポーネントキャリアのみのスケジューリングを受け取らなかったときは、この方法は、更に、３９０において、必要に応じてのみコンポーネントキャリアごとに第１及び第２コードワードに対して確認及び否定確認ビットの空間的バンドリングを行うことを含む。
【００６３】
図３に示す方法は、種々の仕方で実施される。例えば、図３の方法は、完全にハードウェアで実施されてもよい。或いは又、記憶媒体又は非一時的媒体のようなコンピュータ読み取り可能な媒体を、ハードウェアで実行されたときに図３の方法又はここに示す方法のある部分を遂行するインストラクションでエンコードすることもできる。又、図３に示されない他のステップも、インストラクションの実行により遂行されてもよい。図３の方法は、ユーザ装置により遂行されてもよいし、又は他のネットワーク要素により遂行されてもよい。例えば、図３の方法は、図２に示す装置２００によって遂行されてもよい。
【００６４】
当業者であれば、上述した本発明は、異なる順序のステップで、及び／又は開示されたものとは異なる構成のハードウェア要素で実施できることも容易に理解されよう。それ故、好ましい実施形態に基づいて本発明を説明したが、本発明の精神及び範囲から逸脱せずに、幾つかの変更や修正や置き換えがなされ得ることが当業者に明らかであろう。
【符号の説明】
【００６５】
２００：装置
２１０：メモリ
２２０：コンピュータプログラムコード
２３０：プロセッサ
２４０：トランシーバ
３００：ベースステーション
【図１】
2013539634.tif 000006
【図２】
2013539634.tif 000007
【図３】
2013539634.tif 000008
【国際調査報告】
2013539634.tif 000009
2013539634.tif 000010
2013539634.tif 000011